(57)【要約】【課題】本技術は、組織学的試験のための試料収納容器に関し、次の４課題を解決するものである。課題１：収納部の形状・大きさを容易な操作で、変更できる組織学的試験のための試料収納容器を提供すること。課題２：試料がその下面に付着しない組織学的試験のための試料収納容器及び蓋体を提供すること。課題３：処理液を容易に排除できる試料収納容器用の蓋体を提供すること課題４：係合が硬くても容易に開くことができる試料収納容器用の蓋体を提供すること。【解決手段】これら課題を解決するために、試料収納部内に設けた区画壁を切除可能にする。同区画壁を試料収納部に取り付け可能にする。試料収納部に取り付け可能な区画壁の長さや構成片数を変更可能にする。試料収納部に迫り出し部を形成したり、蓋体の下面を突曲して、試料と蓋との接触面積を極力すくなくする。収納区画の角部を解放して閉じる蓋体を提供する。蓋体にピンセット状の部材を引っ掛ける孔を設ける。等の構成を採用した。【選択図】  図１
2004219394.tif 000002
【特許請求の範囲】
【請求項１】
組織学的試験のための試料を収納する収納部を有する容器において、前記収納部は、指折り切除可能な区画壁により複数に区画されてなることを特徴とする組織学的試験のための試料収納容器
【請求項２】
前記請求項１に記載の組織学的試験のための試料収納容器であって、前記区画壁の左右両端は、前記収納部の周壁と分離してあることを特徴とする組織学的試験のための試料収納容器
【請求項３】
前記請求項２に記載の組織学的試験のための試料収納容器であって、前記収納部の底壁には、試料処理用の薬液を透過させる透過孔が形成されていて、前記区画壁は、前記透過孔に重なる位置に形成され、前記透過孔間の壁部においてのみ前記区画壁の下端部が一体化されてなることを特徴とする組織学的試験のための試料収納容器
【請求項４】
組織学的試験のための試料を収納する収納部を有する容器において、前記収納部を複数に区画する別体の区画壁を取り付ける区画壁取付部を有してなることを特徴とする組織学的試験のための試料収納容器
【請求項５】
前記請求項４に記載の組織学的試験のための試料収納容器において、前記区画壁取付部は、前記区画壁を取り付けると容易に離脱しない固嵌め状になるようにしてなることを特徴とする組織学的試験のための試料収納容器
【請求項６】
前記請求項４に記載の組織学的試験のための試料収納容器において、前記区画壁取付部は、前記区画壁を容器に対して着脱自在に取り付け得るようにしてなることを特徴とする組織学的試験のための試料収納容器
【請求項７】
前記請求項４、５又は６に記載の組織学的試験のための試料収納容器において、前記区画壁取付部が複数設けられていて、前記区画壁の取付位置を、選択可能にしてなることを特徴とする組織学的試験のための試料収納容器
【請求項８】
前記請求項４、５、６又は７に記載の組織学的試験のための試料収納容器において、前記区画壁は、互いに交差するＸ状又はＹ状の部分を有し、同時に３個以上に収納部を区画できるようにしてなることを特徴とする組織学的試験のための試料収納容器
【請求項９】
前記請求項８に記載の組織学的試験のための試料収納容器において、前記区画壁は，その交差化所にて切除可能にしてなり，前記区画壁を構成する各片を切除して，区画数を変更可能にしてなることを特徴とする組織学的試験のための試料収納容器
【請求項１０】
組織学的試験のための試料を収納する収納空間を有する容器において、使用時は前記収納空間を開閉自在に閉じる蓋体を用いるものであって、前記収納空間の周辺壁の上端内側を空間内に迫り出させてた迫出部を設けてあることを特徴とする組織学的試験のための試料収納容器
【請求項１１】
前記請求項１、２又は３に記載の組織学的試験のための試料収納容器において、使用時は前記収納空間を開閉自在に閉じる蓋体を用いるものであって、前記収納空間の周辺壁の上端内側を空間内に迫り出させてた迫出部を設けてあることを特徴とする組織学的試験のための試料収納容器
【請求項１２】
前記請求項４乃至９のいずれかに記載の組織学的試験のための試料収納容器において、使用時は前記収納空間を開閉自在に閉じる蓋体を用いるものであって、前記収納空間の周辺壁の上端内側を空間内に迫り出させてた迫出部を設けてあることを特徴とする組織学的試験のための試料収納容器
【請求項１３】
組織学的試験のための試料を収納する収納空間を有する容器を前記収納部を開閉可能に閉止する蓋体において、収納空間を閉止したときに、その角部を開放する切り欠き部を有することを特徴とする組織学的試験のための試料収納容器用の蓋体
【請求項１４】
前記請求項１、２又は３に記載の組織学的試験のための試料収納容器の収納部を開閉自在に閉じる蓋体において、収納部を閉止したときに、収納部の各区画の角部を開放する切り欠き部を有することを特徴とする組織学的試験のための試料収納容器用の蓋体
【請求項１５】
前記請求項４乃至９のいずれかに記載の組織学的試験のための試料収納容器の収納部を開閉自在に閉じる蓋体において、収納部を閉止したときに、収納部及びその各区画の角部を開放する切り欠き部を有することを特徴とする組織学的試験のための試料収納容器用の蓋体
【請求項１６】
前記請求項１０、１１又は１２に記載の組織学的試験のための試料収納容器の収納部を開閉自在に閉じる蓋体において、収納部を閉止したときに、収納部及びその各区画の角部を開放する切り欠き部を有することを特徴とする組織学的試験のための試料収納容器用の蓋体
【請求項１７】
組織学的試験のための試料を収納する収納空間を有する容器の前記収納空間を開閉可能に閉止する蓋体において、その下面のうち前記収納部の試料収納空間に対向する個所が、下方に突出する半円又は半球状に形成してなることを特徴とする組織学的試験のための試料収納容器用の蓋体
【請求項１８】
前記請求項１、２、３又は１４に記載の組織学的試験のための試料収納容器の前記収納空間を開閉可能に閉止する蓋体において、その下面のうち前記収納部の試料収納空間に対向する個所が、下方に突出する半円又は半球状に形成してなることを特徴とする組織学的試験のための試料収納容器用の蓋体
【請求項１９】
前記請求項４、５、６、７、８、９又は１５に記載の組織学的試験のための試料収納容器の前記収納空間を開閉可能に閉止する蓋体において、その下面のうち前記収納部の試料収納空間に対向する個所が、下方に突出する半円又は半球状に形成してなることを特徴とする組織学的試験のための試料収納容器用の蓋体
【請求項２０】
前記請求項１０、１１、１２又は１６に記載の組織学的試験のための試料収納容器の前記収納空間を開閉可能に閉止する蓋体において、その下面のうち前記収納部の試料収納空間に対向する個所が、下方に突出する半円又は半球状に形成してなることを特徴とする組織学的試験のための試料収納容器用の蓋体
【請求項２１】
組織学的試験のための試料を収納する収納部を有する容器を前記収納部を開閉可能に閉止する蓋体において、一端部に開閉用の支点部を有し、他端部に前記容器と係合する係合部材が設けてあって、その近くにピンセット先掛部を設けて成ることを特徴とする組織学的試験のための試料収納容器用の蓋体
【請求項２２】
前記請求項１、２、３、１４又は１８に記載の組織学的試験のための試料収納容器の収納部を開閉自在に閉じる蓋体において、その下面のうち前記収納部の試料収納空間に対向する個所が、下方に突出する半円又は半球状に形成してなることを特徴とする組織学的試験のための試料収納容器用の蓋体
【請求項２３】
前記請求項４、５、６、７、８、９、１５又は１９に記載の組織学的試験のための試料収納容器の収納部を開閉自在に閉じる蓋体においてその下面のうち前記収納部の試料収納空間に対向する個所が、下方に突出する半円又は半球状に形成してなることを特徴とする組織学的試験のための試料収納容器用の蓋体
【請求項２４】
前記請求項１０、１１、１２、１６又は２０に記載の組織学的試験のための試料収納容器の収納部を開閉自在に閉じる蓋体において、その下面のうち前記収納部の試料収納空間に対向する個所が、下方に突出する半円又は半球状に形成してなることを特徴とする組織学的試験のための試料収納容器用の蓋体
【発明の詳細な説明】
【０００１】
【発明の属する技術分野】
本発明は、医療等の生物学的検査用顕微鏡標本の作製に使用する組織学的試験のための試料収納容器及びその蓋体に関し、より詳しくは、試料の収納及び取り出しや液処理の作業性を向上させうる試料収納容器及びその蓋体に関する。
【０００２】
【従来の技術】
従来より、特開２００２−２１４０９３号、特開２００１−２９６２２０号、特許第３１５２９６３号並びに特開平８−２８５７４５号の各公報に示されているように、容器の収納部は、一個又は複数に区画されたものが知られている。
これら収納部は、容器の成型加工時に一体成型にて製作されおり、試料の大きさに対応して適度な大きさに変更することは不可能であった。
このため、試験目的、試料の採取方法並びに試料の性質などにより異なる大きさにならざるを得ない試料に対応するには、収納部が異なる大きさ形状の容器を多種準備しておかなければならなかった。
多種類の容器を準備すると、試料の大きさ形状に合わせ選択しなければならない手間が生じ、試験の時間を無駄に長くする問題が生じていた。
【０００３】
また、容器は試料を収納した後、蓋体により閉じて、染色等の液処理を施され、その後、蓋体を開いて、パラフィン包埋や切削処理が行われるが、このとき、試料が蓋体に付着して、蓋体とともに収納部から不用意に取り出さてしまい、試料の識別が出来なくなるという事故が生じていた。
このような事故が生じた場合は、試料の再採取が必要となり場合によっては、再採取不可能なために試験そのものができなくなるという重大な問題を生じていた。
【０００４】
また、液処理を行った後、次の処理を行うには、処理液を容器より完全に廃棄しなければならないが、収納部の角などに処理液がたまり、これを排除するには、蓋体で閉じたままの容器を振るなどの衝撃を与えて排除していた。
このような衝撃を与えすぎると、試料が破壊されてしまう恐れがあり、処理液を完全に取り除くには、熟練を要していた。
【０００５】
さらに、蓋体は、処理中の液流れなどにより不容易に開くことがないようにしっかりと容器に係合して用いられるが、係合がしっかりしていると、これを解除するのが難しくなり、蓋体を開きにくい問題が生じていた。
特に容器や蓋体を合成樹脂の成型により製作した容器や蓋体の場合は、環境温度により熱収縮膨張や成型誤差により、蓋体を破壊しなければ開くことができないという問題も生じていた。
【０００６】
【発明が解決しようとする課題】
本発明は、このような実情に鑑み、以下の課題を解決したものである。
課題１：収納部の形状・大きさを容易な操作で、変更できる組織学的試験のための試料収納容器を提供すること。
課題２：試料がその下面に付着しない組織学的試験のための試料収納容器用の蓋体又は容器を提供すること。
課題３：処理液を容易に排除できる試料収納容器用の蓋体を提供すること
課題４：係合が硬くても容易に開くことができる試料収納容器用の蓋体を提供すること。
【０００７】
【課題を解決するための手段】
本第一発明は，前記課題１を解決する手段を提供するもので、収納部は、指折り切除可能な区画壁により複数に区画されてなることを特徴とする構成を採用した。
このようにすることで、区画壁を指で押し倒すことにより、それを切除して、収納区画の大きさ、形状を変更できることとなった。
このため、作業現場で、使用時に試料の大きさや形状にあわせた収納部を容易に生成することができ、必要な容器の種類を著しく少なくし、試験時間を短縮できるようになった。
【０００８】
本第二発明は、前記第一発明の改良構造を提供するものであって、前記区画壁の左右両端は、前記収納部の周壁と分離してあることを特徴とする構成を採用した。
このようにすることで、区画壁を押し倒す際に、収納部周壁を損傷する恐れがなく、試料収納空間の変更をより確実に行えるようになった。
【０００９】
本第三発明は、前記第二発明をさらに改良したものであって、前記収納部の底壁には、試料処理用の薬液を透過させる透過孔が形成されていて、前記区画壁は、前記透過孔に重なる位置に形成され、前記透過孔間の壁部においてのみ前記区画壁の下端部が一体化されてなることを特徴とする構成を採用した。
このようにすることで、区画壁の下端と収納部底壁との一体化部分が、区画壁全長に比べ極少ないものとなり、区画壁と収納部底壁との一体化部分への応力集中が図られるので、底壁の厚さを余分に厚くしなくとも、底壁が破損せずに、区画壁を除去しえるようになった。
【００１０】
本第四発明は、前記課題１を解決する別の手段を提供するもので、収納部を複数に区画する別体の区画壁を取り付ける区画壁取付部を有してなることを特徴とする構成を採用した。
このようにすることで、別体の区画壁を容器に取り付けるだけで、収納部の大きさ形状を変更することができた。
容器の種類を一種類に限定したとしても、区画数や区画形状が異なる複数種の区画壁を用意しておくだけて、多種多様な試料の大きさ・形状に合わせた収納空間を収納部に作ることができるようになった。
【００１１】
本第五発明は、前記第四発明を改良した構造を提供するものであって、区画壁取付部は、前記区画壁を取り付けると容易に離脱しない固嵌め状になるようにしてなることを特徴とする構成を採用した。
このようにすることで、蓋体を開いた後に区画壁が不用意に外れてしまい、一収納部内にある複数の試料の識別が不可能になるという問題の発生を未然に防止できた。
【００１２】
本第六発明は、前記第四発明を改良した構造を提供するものであって、区画壁取付部は、前記区画壁を容器に対して着脱自在に取り付け得るようにしてなることを特徴とする構成を採用した。
このようにすることで、液処理後においても、試料の収納空間の大きさ・形状を変更することができるので、それぞれの処理に合った収納空間に変更することが可能となった。
【００１３】
本第七発明は、前記第四、第五又は第六の各発明を改良したもので、区画壁取付部が複数設けられていて、前記区画壁の取付位置を、選択可能にしてなることを特徴とする構成を採用した。
このようにすることで、容器の種類のみならず区画壁の種類をも少なくして、多くの形状・大きさの試料収納空間を作業現場で容易に生成することができるようになった。
【００１４】
本第八発明は、前記第四、第五、第六又は第七の各発明を改良したもので、前記区画壁は、互いに交差するＸ状又はＹ状の部分を有し、同時に３個以上に収納部を区画できるようにしてなることを特徴とする構成を採用した。
このようにすることで、容器の収納部を多数に一度に区画することができ、小さい試料を一個の容器に多数収納する場合に、その区画作業を容易にすることができるようになった。
【００１５】
本第九発明は、前記第八発明を改良したもので、前記区画壁は、その交差個所にて切除可能にしてなり、前記区画壁を構成する各片を切除して、区画数を変更可能にしてなることを特徴とする構成を採用した。
このようにして、区画壁自体の区画数や区画形状をも変更可能にしたので、容器の種類のみならず区画壁の種類も少なくしながら、多くの試料の形状・大きさに合わせた収納空間を作ることができた。
【００１６】
本第十発明は、前記課題２を解決する試料収納容器を提供するものであって、収納空間の周辺壁の上端内側を空間内に迫り出させた迫出部を設けてあることを特徴とする構成を採用した。
このようにすることで、試料が仮に蓋体の下面に付着しても、収納空間の上端にある迫出部に試料が引っかかり、不用意に試料が容器より取り出されてしまうことをなくしえるようになった。
【００１７】
本第十一発明は、前記第一、第二又は第三の各発明に前記第十発明を適用したもので、それぞれの発明による作用を遺憾なく発揮し、前記課題１と課題２を同時に解決することができた。
【００１８】
本第十二発明は、前記第一、第二、第三、第四、第五、第六、第七、第八又は第九発明に前記第十発明を適用したもので、それぞれの発明による作用を遺憾なく発揮し、前記課題１と課題２を同時に解決することができた。
本第十三発明は、前記課題３を解決する手段を提供するもので、収納空間を閉止したときに、その角部を開放する切り欠き部を有することを特徴とする構成を採用した。
容器内に溜まり、排除しにくい処理液は、収納空間の角にあることを発見し、この知見に基づき、前記のような切り欠きを蓋体に設けた。
このようにすることで、空間の角部が開放され、処理液の層から、蓋体つきの容器を取り出すと同時に、空間の角を含む全体から処理液が排除されることとなる。
この結果、容器を強く振らなくとも、処理液を容器から排除することができた。
【００１９】
本第十四発明は、前記第一、第二又は第三の各発明に前記第十三発明を適用したもので、それぞれの発明による作用を遺憾なく発揮し、前記課題１と課題３を同時に解決することができた。
【００２０】
本第十五発明は、前記第一、第二、第三、第四、第五、第六、第七、第八又は第九発明に前記第十三発明を適用したもので、それぞれの発明による作用を遺憾なく発揮し、前記課題１と課題３を同時に解決することができた。
【００２１】
本第十六発明は、前記第十、第十一又は第十二発明に前記第十三発明を適用したもので、それぞれの発明による作用を遺憾なく発揮し、前記課題１、課題２並びに課題３を同時に解決することができた。
【００２１】
本第十七発明は、前記課題２を解決する別の手段を提供するものであって、蓋体の下面のうち前記収納空間に対向する個所が、下方に突出する半円又は半球状に形成してなることを特徴とする構成を採用した。
この種、生物試料は、容器に収納したときは異径半球状ななっていることを発見し、この知見に基づき、上記のように蓋体を構成した。
このようにすることで、蓋体に試料が接触しても、その接触は中心点がことなる曲線同士の接触となるので、接触面積が極わずかなものとなる。
そのため、蓋体に試料が付着しても、蓋体を開くときには、試料の自重により蓋体から離れることとなり、試料が不用意に容器から取り出されてしまうようなことがなくなった。
【００２２】
本第十八発明は、前記第一、第二、第三又は第一四の各発明に前記第十七発明を適用したもので、それぞれの発明による作用を遺憾なく発揮した。
その結果、前記課題１及び課題２を同時に解決したのみならず、前記第十四発明に適用した場合は、課題３をも同時に解決した。
【００２３】
本第十九発明は、前記第一、第二、第三、第四、第五、第六、第七、第八、第九又は第十五の各発明に前記第十七発明を適用したもので、それぞれの発明による作用を遺憾なく発揮した。
その結果、前記課題１及び課題２を同時に解決したのみならず、前記第十五発明に適用した場合は、課題３をも同時に解決した。
【００２４】
本第二一発明は、前記課題４を解決する手段を提供する蓋体であって、一端部に開閉用の支点部を有し、他端部に前記容器と係合する係合部材が設けてあって、その近くにピンセット先掛部を設けて成ることを特徴とする構成を採用した。
このようにすることで、ピンセットのような部材を用いて、テコ作用を働かせることができるようになり、蓋体と容器との係合がきつい場合でも、蓋体を容易に開くことができるようになった。
【００２５】
【発明の実施の形態】
本発明の実施の形態を図１から図１２を参照しながら説明する。
なお、図中同じ符号で示すものは、同じ構造を示すものである。
【００２６】
【実施例１】
実施例１は、課題１、課題３及び課題４を解決する為のものであって、図１、図２を参照して説明する。
図１に示す通り、本実施例は、容器（１１）と蓋体（２１）との組み合わせによるものである。
容器（１１）は、傾斜表示部（１０１）、試料収納部（１０２）、前記蓋体（２１）の舌片（２０１）を挿入係止する支点部（１０３）、前記蓋体（２１）の係止フック（２０２）（２０３）を係止する突部（１０４）とにより構成されている。
【００２７】
前記試料収納部（１０２）は、区画壁（１１１）（１１２）（１１３）（１１４）により４っつに区画し、試料収納空間を４っつ形成してある。
前記各区画壁（１１１）（１１２）（１１３）（１１４）は、それぞれ独立して前記収納部（１０２）の底壁（１０５）に一体成型されている。
この区画壁（１１１）（１１２）（１１３）（１１４）は、前記収納部（１０２）の周壁（１０６）との間に０．１乃至０．２ｍｍの間隙（Ｓ）をもっており、また、前記底壁（１０５）に碁盤目状に配置して形成した多数の液透過孔（１０７）をまたぐようにして形成されている。
このようにして、前記収納部（１０２）を構成する前記各壁（１０５）（１０６）との一体化個所を最小限にして、前記各区画壁（１１１）（１１２）（１１３）（１１４）を、それぞれ指にて押すことで、前記底壁（１０５）、前記周壁（１０６）に損傷を与えることなく切除できるようにしてある。
この結果、前記収納部（１０２）も試料収納空間を４通りに設定することができた。
なお、図示しないが、前記区画壁は４個に限らず、６個、８個、１０個又はそれ以上に作ることも、本実施例からすれば自明のことであり、区画壁の数が多いほど、試料収納空間をより自由に設定できるようになる。
【００２８】
前記蓋体（２１）は、前記舌片（２０１）を一端部下面に設け、前記係止フック（２０２）を他端部に設けてある他、前記係止フック（２０２）（２０３）を設けてある側に、ピンセット（図外）を差し込む掛け孔（２０４）（２０５）（２０６）が設けてある。
前記蓋体（２１）は、その舌片（２０１）を前記容器（１１）の前記支点部（１０３）に差し込み、前記係止フック（２０２）（２０３）を前記容器（１１）の前記突部（１０４）を乗り越えさせて係止して閉止するものである。
このようにして前記容器（１１）を閉止した蓋体（２１）は、前記蓋体（２１）の前記係止フック（２０２）（２０３）を形成した端部を指で押し上げることにより開くのが通常である。
しかし、前記係止フック（２０２）（２０３）や前記突部（１０４）の成型誤差などにより、微弱な力では開くことが出来ない場合があるが、本実施例では、前記掛け孔（２０４）（２０５）（２０６）を設けてあるので、これにピンセットや千枚通しなどの先端を引っ掛け、こじることで、このような場合でも容易に前記蓋体（２１）を持ち上げ開くことができるようになった。
この結果、前記蓋体（２１）と前記容器（１１）との係合関係をより硬い側に調整して、作業中の不用意な蓋開きを防止することができるようになった。
このような硬嵌めのときにでも容易に前記係止フック（２０２）（２０３）が前記突部（１０４）を乗り越えやすいように、この突部（１０４）の上面を案内傾斜面（１１５）に形成してある。
【００２９】
また、前記容器（１１）の閉止状態で前記収納部（１０２）に対向する前記蓋体（２１）の個所には、略全面にわたって液透過孔（２０７）が碁盤目状に配置形成してあり、当該個所の４角には切込部（２０８）（２０９）（２１０）（２１１）が形成してある。
この切込部（２０８）（２０９）（２１０）（２１１）により、前記蓋体（２１）にて前記容器（１１）を閉止した状態でも、前記収納部（１０２）の４角を開放状態にする。
この結果、液処理後に、処理液が前記収納部（１０２）の４角に溜まることなく、次工程では不要な処理液を容易かつ確実に排除しえるようなった。
【００３０】
前記蓋体（２１）の上面には３条の低い突条（２１２）（２１３）（２１４）が形成してある。
この突条（２１２）（２１３）（２１４）は、前記蓋体（２１）にて閉止した容器（１１）を多数重ねて液処理するときに、重ねあわされたもの同士の間に微小な間隙を維持させるためのものである。
このような微小な間隙を重ねあわされたもの同士に作ることにより、液の流れが乱流化し、処理液が均質化して、流れの上下流による処理の斑をなくすことができた。
【００３１】
【実施例２】
実施例２は前記実施例１の区画壁（１１１）（１１２）（１１３）（１１４）と前記収納部（１０２）の周壁（１０６）との間に形成した間隙（Ｓ）に代わり、Ｖ字状の切り欠きにより、周壁（１０６）及び区画壁同士の切除を容易にしたものである。
具体的には、図３及び図４を参照して以下に説明する。
【００３２】
本実施例の容器（１１ａ）の各区画壁（１１１ａ）（１１２ａ）（１１３ａ）（１１４ａ）は相互の結合個所と周壁（１０６）との接合個所にそれぞれＶ字状の切り欠き（１１１ｂ）（１１１ｃ）（１１２ｂ）（１１２ｃ）（１１３ｂ）（１１３ｃ）（１１４ｂ）（１１４ｃ）が形成してある。
そして、その切り欠きの相互の結合個所と周壁（１０６）との接合個所の上端は、極狭い幅（Ｓａ）でかつ浅い深さの溝（１１１ｂｖ）（１１１ｃｖ）（１１２ｂｖ）（１１２ｃｖ）（１１３ｂｖ）（１１３ｃｖ）（１１４ｂｖ）（１１４ｃｖ）により、分離してある。
このようにして、指にて各区画壁（１１１ａ）（１１２ａ）（１１３ａ）（１１４ａ）を押すと、相互の結合個所と周壁（１０６）との結合が破壊され、切除することができた。
なお、その他の構成は前記実施例１と同様なので、図中同じ符号を付して、詳しい説明を省略する。
なお、前記溝（１１１ｂｖ）（１１１ｃｖ）（１１２ｂｖ）（１１２ｃｖ）（１１３ｂｖ）（１１３ｃｖ）（１１４ｂｖ）（１１４ｃｖ）は、切除時の応力集中を確実に行うためのものであり、前記切り込み（１１１ｂ）（１１１ｃ）（１１２ｂ）（１１２ｃ）（１１３ｂ）（１１３ｃ）（１１４ｂ）（１１４ｃ）により区画壁の最小厚さを十分小さく製作できる場合は、必ずしも要するものではない。
【００３３】
【実施例３】
実施例３は、課題１及び課題２の解決に関するもので、図５、図６、図７を参照して以下に説明する。
【００３４】
容器（１２）には、３個の長円状収納部（１２０）（１２１）（１２２）が設けてあり、前記各収納部（１２０）（１２１）（１２２）には、それぞれ区画壁（１３０）（１３１）、（１３２）（１３３）、（１３４）（１３５）が設けてあり、それぞれの収納部を３分割してある。
前記区画壁（１３０）（１３１）、（１３２）（１３３）、（１３４）（１３５）は、それぞれ上端が弧状に凹入させてある。
また、前記収納部（１２０）の周壁（１４０）、前記収納部（１２１）の周壁（１４１）、前記収納部（１２２）の周壁（１４２）に対し、０．１乃至０．２ｍｍ程度の間隔（Ｓ）をあけてある。
前記収納部（１２０）の底壁（１５０）、前記収納部（１２１）の底壁（１５１）、前記収納部（１２２）の底壁（１５２）には、それぞれ碁盤目状に配置して多数の液透過孔（１０７）が設けてある。
前記各区画壁（１３０）（１３１）、（１３２）（１３３）、（１３４）（１３５）は、前記液透過孔（１０７）を跨ぐようにして設けてある。
このようにして、前記区画壁（１３０）（１３１）、（１３２）（１３３）、（１３４）（１３５）は、その一部分が前記底壁（１５０）（１５１）（１５２）に一体化されて設けることにより、前記底壁（１５０）（１５１）（１５２）及び前記周壁（１４０）（１４１）（１４２）に損傷を与えることなく、指にて押し倒すことで、切除可能にしてある。
【００３５】
前記容器（１２）を閉じる蓋体（２２）は、前記容器（１２）を閉じたとき、下面が前記区画壁（１３０）（１３１）、（１３２）（１３３）、（１３４）（１３５）の上縁と同様な弧状になるように、前記収納部（１２０）（１２１）（１２２）に対向する個所（２２０）（２２１）（２２２）を凹入させてある。
当該個所（２２０）（２２１）（２２２）には、平面視で碁盤目状になる液透過孔（２３０）（２３１）（２３２）が貫通して設けてある。
このようにして、前記収納部（１２０）（１２１）（１２２）に収納した試料（Ｐ）と、前記蓋体（２２）の下面が、弧状の接触となり、その接触面積が最小となるようにし、もって、前記蓋体（２２）を開いた時に、試料（Ｐ）が仮に前記蓋体（２２）の下面に接触していても、その自重にて前記蓋体（２２）から離れうるようにしてある。
【００３６】
この他、前記蓋体（２２）には、前記実施例１と同様に、舌片（２０１）係止フック（２０２）（２０３）及び掛け孔（２０４）（２０５）（２０６）が設けてあり、前記容器（１２）には、前記実施例１と同様に、傾斜表示部（１０１）、支点部（１０３）、突部（１０４）が設けてある。
これらについては、前記実施例１と同様なので詳しい説明は省略する。
【００３７】
なお、前記間隔（Ｓ）に代わり、実施例２のように、区画壁と周壁とを一体化し、その接合部分に切り欠きを作成して肉薄とする構成にしても企画壁を指折り切除可能である。
【００３８】
【実施例４】
実施例４は、課題１を解決する別の形態を示すもので、図８、図９及び図１０を参照して以下に説明する。
容器（１３）は、一つの収納部（１６０）を有し、前記実施例１と同様に、傾斜表示部（１０１）、支点部（１０３）、突部（１０４）及び碁盤目状に配置された液透過孔（１０７）が設けてある。
前記収納部（１６０）の周壁（１６１）の前後・左右のそれぞれ中央部に、後述する区画壁（３１）の端部を案内する突条（１６２）（１６３）（１６４）（１６５）「図中、左側内面と手前側内面は見えないので図示せず」が設けてある。
【００３９】前記区画壁（３１）は、前記収納部（１６０）の左右長さに等しい左右片（３０１）と前後長さに等しい長さを有する前後片（３０２）が中央で交差した十字形の壁で、それぞれの片には、前記液透過孔（１０７）に挿入可能な案内ブロック（３１０）（３１１）（３１２）（３１３）が設けてある。
前記各片（３０１）（３０２）の高さは、前記収納部（１６０）の高さと同じ高さである。
このようにして、前記区画壁（３１）を前記収納部（１６０）に装填することにより、４っつの収納空間に区画することを可能にした。
この装填状態では、前記案内ブロック（３１０）（３１１）（３１２）（３１３）が液透過孔（１０７）に突入しているので、前記突条（１６２）（１６３）（１６４）（１６５）による区画壁（３１）端部の保持とあいまって容易には離脱しない。
特に、前記実施例１に示すような蓋体（１１）にて、本容器を閉止した状態では、容器を横倒しにしたり逆さにしても、この区画壁（３１）を超えて、収納した試料が移動することはなかった。
【００４０】
前記左右片（３０１）の左辺の交差部分近くと、前後片（３０２）の交差部分近くにはそれぞれＶの字状の切り込み（３２０）（３２１）（３２２）が形成してある。
このようにして、前記各片（３０１）（３０２）を交差部分近くにて指折り可能にしてある。
この結果、収納部（１６０）に装填する前に、区画壁（３１）の形状を変更でき、４分割のみならず、３分割、２分割等に調整可能となった。
【００４１】
【実施例５】
実施例５は、前記実施例４をさらに改良したもので、図１１、図１２及び図１３を参照して説明する。
容器（１４）の収納部（１７０）の周壁（１７１）には、碁盤目状に配置された液透過孔（１０７）と同じピッチで、区画壁（３２）の案内溝（１７２）（１７３）（１７４）（１７５）が設けてある。
前記区画壁（３２）の左右片（３３０）と前後片（３３１）には、略全長にわたって前記透過孔（１０７）のピッチと同じピッチでＶの字状の切り込み（４１０）（４１１）（４１２）（４１３）が設けてある。
それぞれの片（３３０）（３３１）の下部には、実施例４と同様な案内ブロック（３００）（３０１）（３０２）（３０３）が設けてある。
なお、左右片（３３０）と前後片（３３１）の長さは、収納部（１７０）のそれにくらべ１５０％から１８０％程度に長くしてある。
このようにして、切り込み（４１０）（４１１）（４１２）（４１３）による指折り切除により、交差部分から端部までの距離を調整することにより、この区画壁（３２）による収納部（１７０）の区画空間の大きさを、液透過孔の１ピッチ単位で調整できるようにしてある。
このようにした結果、収納部を例えば４分割するにしても、図１３に示すようにそれぞれの大きさを相互に異ならせて分割することが可能になった。
【００４２】
なお、前記ピッチ単位の切り込み（４１０）（４１１）（４１２）（４１３）のほか、実施例４と同様な、交差部近くの切り込み（３２０）（３２１）（３２２）が設けてあるので、区分数をも変更可能である。
【００４３】
【実施例６】
実施例６は、前記実施例４又は実施例５の区画壁（３１）（３２）を収納部（１６０）（１７０）に取り付けたら取り除き不可能にする為の構造を示すもので、図１４、図１５を参照して説明する。
以下は、実施例５をベースにしたものを示すが、実施例４に付いても同様な構成により同様な作用が得られた。
本実施例では、実施例５の前記案内ブロック（３００）（３０１）（３０２）（３０３）に代わり、以下に示す案内ブロック（５１０）（５１１）（５１２）（５１３）の構造とし、実施例５の容器（１３）の底壁に形成した液透過孔（１０７）に代わり、以下に示す液透過孔（５０１）の構造としたものである。
【００４４】
液透過孔（５０１）は、上半部が小さく下半部が大きい２段構造にして、上下中央に、平坦な係合段部（５０２）が設けてある。
前記案内ブロック（５１０）（５１１）（５１２）（５１３）は、案内部分（５２０）（５２１）（５２２）（５２３）と、フック部分（５３０）（５３１）（５３２）（５３３）とに２部分にて構成されている。
前記案内部分（５２０）（５２１）（５２２）（５２３）は液透過孔（５０１）の上半部の幅と略同じの幅で、かつその半分以下の厚さを有する板状のブロックである。
前記フック部分（５３０）（５３１）（５３２）（５３３）は、液透過孔（５０１）の高さの半分の高さを有するばね部分（５４０）（５４１）（５４２）（５４３）とこのばね部分（５４０）（５４１）（５４２）（５４３）の下端に連続して、先端が外側に突出し、下面を内方に向かって傾斜させた爪部分（５５０）（５５１）（５５２）（５５３）とにより構成してある。
【００４５】
このようにしたので、前記容器（１４）に、前記区画壁（３２）を装填するときに、前記案内ブロック（５１０）（５１１）（５１２）（５１３）を液透過孔（５０１）に挿入すると、案内部分（５２０）（５２１）（５２２）（５２３）にて、垂直に案内されながら、前記液透過孔（５０１）に前記フック部分（５３０）（５３１）（５３２）（５３４）を挿入することとなる。このとき、前記フック部分（５３０）（５３１）（５３２）（５３３）は、その下面が液透過孔（５０１）の上端に案内され、ばね部分（５４０）（５４１）（５４２）（５４３）が弾性変形して、爪部分（５５０）（５５１）（５５２）（５５３）が液透過孔（５０１）の上半部内に収まり、これを通り過ぎると弾性反発して、図１５に示すように前記爪部分（５５０）（５５１）（５５２）（５５３）の上面が係合段部（５０２）に係合することとなる。
このように装填された後は、前記フック部分（５３０）（５３１）（５３２）（５３３）は弾性変形しないので、係合段部（５０２）から外れることはない。この結果、あやまってケースを高位置から落下させる等の事故があっても、区画壁がはずれ、収納されていた複数の試料の識別が不可能になるというおそれがなくなった。
【００４６】
【実施例７】
実施例７は、課題２を解決する別の手段を示すものであって、図１６、図１７を参照して説明する。
容器（１６）は、前記実施例２の容器（１２）と同様に、３個の長円状収納部（１８０）（１８１）（１８２）が設けてある。この収納部（１８０）（１８１）（１８２）の上端口部の周縁は、迫出部（６００）（６０１）（６０２）により、その底面より少々狭くしてある。
当該容器（１６）に対応する蓋体（２６）は、前記収納部（１８０）（１８１）（１８２）を閉止する平坦な部分（２８０）（２８１）（２８２）に液透過孔（２０７）が碁盤目状に形成してある。
【００４７】
図１７に示すように、前記容器（１６）を横倒しにして、液処理を行ったときに、試料（Ｐ）が収納部（１８０）（１８１）（１８２）の側に位置するが、前記迫出部（６００）（６０１）（６０２）により、試料（Ｐ）と前記蓋体（１６）との接触を少なくし、その分、収納部（１８０）の周壁との接触を多くすることとなる。
この結果、試料（Ｐ）は、蓋体（２６）よりも容器（１６）側に強く接着することとなるので、蓋体（２６）を明けたときに、試料（Ｐ）が容器（１６）内に確実に残り、不用意に試料（Ｐ）が容器（１６）から飛び出す恐れを無くした。
【００４８】
前記迫出部（６００）（６０１）（６０２）の内、前記収納部（１８０）（１８１）（１８２）の４角に該当する個所に小さな切除部分（６１０）（６１１）（６１２）（６１３）（６２０）（６２１）（６２２）（６２３）（６３０）（６３１）（６３２）（６３３）が設けてある。
また、前記蓋体（２６）の前記平坦部分（２８０）（２８１）（２８２）の前記切除部分に対応する個所を開放するように、大きな透過孔（２８３）（２８４）（２８５）（２８６）（２８７）（２８８）（２８９）（２９０）（２９１）（２９２）（２９３）（２９４）が設けてある。
このようにして、収納部（１８０）（１８１）（１８２）内の４角に溜まる液を容易に排除できようにしてある。
【００４９】
迫出部（６００）（６０１）（６０２）を成型加工するために、前記容器（１６）の底壁（１６Ｂ）は別体で成型加工され、他の部分と溶着又は接着などによりなどの手段で一体化してある。
なお、迫出部（６００）（６０１）（６０２）の迫り出し幅が０．２ｍｍ以下の場合は、底壁を含み全体を一体成型することも可能である。
【００５０】
【実施例８】
実施例８は、前記実施例７で示す迫り出し構造を、前記実施例１に似た容器と蓋体に適用した例を示し、図１８、図１９及び図２０を参照して説明する。
容器（１７）は、実施例１と同様に、傾斜表示部（１０１）、前記蓋体（２７）の舌片（２０１）を挿入係止する支点部（１０３）、前記蓋体（２７）の係止フック（２０２）（２０３）を係止する突部（１０４）及び前記フック（２０２）（２０３）を案内する傾斜面（１１５）を有している。
また、蓋体（２７）は、実施例１と同様に前記舌片（２０１）、係止フック（２０２）（２０３）、掛け孔（２０４）（２０５）（２０６）及び突条（２１２）（２１４）を有している。
【００５１】
前記容器（１７）には一つの収納部（１９０）を有し、その上端には迫出部（８００）が全周に渡って設けてある。
前記収納部（１９０）は、区画壁（３３）によって、６区画に区画されている。
前記区画壁（３３）は、左右片（３５０）と左右の前後片（３５１）（３５２）とよりなり、各片の上端部には、両壁面より迫り出す迫出部（８０１）（８０２）（８０３）が設けてある。
このようにして、収納部（１９０）内で区画壁（３３）により区画された各区画空間の略全周に渡って迫り出しがあるようにしてある。
このようにして、何れの区画部分に試料が収められていたとしても、不用意に試料が容器（１７）より飛び出さないようにしてある。
【００５２】
前記区画壁（３３）は左右片（３５０）と前後片（３５１）（３５２）が交差する個所近くに、Ｖの字状の切り込み（４５０）（４５１）（４５２）（４５３）が形成してあり、その反対側には、前記迫出部（８０１）（８０２）（８０３）を細い幅で切除した切り溝（４６０）（４６１）（４６２）（４６３）が設けてある。
このようにして、前記企画壁（３３）の各片（３５０）３５１）（３５２）を、その交差部分にて指折り切除できるようにし、区画数を変更可能にしてある。
前記切り溝（４６０）（４６１）（４６２）（４６３）は、前記迫出部（８０１）（８０２）（８０３）による補強効果を無くす為のものであり、当該前記迫出部（８０１）（８０２）（８０３）の迫り出し幅が小さく補強効果が実質上ないばあいは、不要である。
【００５３】
前記区画壁（３３）には、前記収納部（１９０）の底壁（１７Ｂ）に形成した液透過孔（１０７）に嵌まり込む案内ブロック（３１０）（３１１）（３１２）（３１３）が設けてあり、この案内ブロック（３１０）（３１１）（３１２）（３１３）と液透過孔（１０７）とにより企画壁（３３）を収納部（１９０）に装填する為の取り付け構造を構成してある。
【００５４】
前記蓋体（２７）の前記収納部（１９０）を閉止する個所には、その迫出部（８００）をこえて、前記収納部（１９０）の４角を開放する切り込み部（９０１）（９０２）（９０３）（９０４）が設けてある。
また，前記区画壁（３３）の区画片の交差部分に対向する個所には、交差部分近くの空間か開放されるように大き目の透過孔（９１０）（９１１）が設けてある。
このようにして、何れの区画においても、その角を開放し、液の排除が容易に行えるようにしてある。
【００５５】
迫出部（８００）を成型加工するために、前記容器（１７）の底壁（１７Ｂ）は別体で成型加工され、他の部分と溶着又は接着などによりなどの手段で一体化してある。
なお、迫出部（８００）の迫り出し幅が０．２ｍｍ以下の場合は、底壁を含み全体を一体成型することも可能である。
【００５６】
区画壁（３３）の案内ブロック（３１０）（３１１）（３１２）（３１３）を実施例６の案内ブロック（５１０）（５１１）（５１２）（５１３）に置き換え、前記容器（１７）の液透過孔を実施例５の液透過孔（５０１）に置き換えることにより、区画壁（３３）を取り出し不可能に前記容器（１７）に装填することができた。
【００５７】
【発明の効果】
本発明は、以上のように構成することにより、区画壁により収納部を作業現場により複数に区画できるので、容器の種類を少なくし、容器の選択の手間を極容易にした。
さらに、試料の付着が蓋体側より容器側に遥かに大きく接着するようにしてあるので、蓋体を開けたときに試料が容器から飛び出すようなことがなくなった。
さらに、収納空間の角部を開放したので、ここに残存しやすかった処理液がスムーズに排除でき、処理液の排除に手間取ったり、あやまで試料に過剰な衝撃を与えるような恐れはなくなった。
そして、ピンセット掛け部により、蓋体を容器から容易に取り外せるので容器を開くときに過剰な力を与えて、容器や試料を破損する恐れがなくなった。
また、蓋体を容易に開くことができるので、蓋体と容器との係合を固嵌側に設定して、処理中に不用意に蓋体が開くことがないようにすることも可能になった。
【図面の簡単な説明】
【図１】実施例１の容器と蓋体を示す斜視図
【図２】図１のＡ−Ａ断面図
【図３】実施例２の容器と蓋体を示す斜視図
【図４】図３のＡａ−Ａａ断面図
【図５】実施例３の容器と蓋体を示す斜視図
【図６】図５のＢ−Ｂ断面図
【図７】図５のＣ−Ｃ断面図
【図８】実施例４を示す容器の斜視図
【図９】実施例４の区画壁を示す斜視図
【図１０】図８のＤ−Ｄ断面図
【図１１】実施例５の容器を示す斜視図
【図１２】実施例５の区画壁を示す斜視図
【図１３】実施例５の区画壁の使用例を示す斜視図
【図１４】実施例６の案内ブロックを示す拡斜視図
【図１５】実施例６の使用状態を示す、図１３のＥ−Ｅ断面図
【図１６】実施例７の容器と蓋体を示す斜視図
【図１７】図１６のＦ−Ｆ断面図
【図１８】実施例８の容器と蓋体を示す斜視図
【図１９】図１８のＧ−Ｇ断面図
【図２０】実施例８の区画壁を示す斜視図
【符号の説明】
（１１）                容器
（１１ａ）              容器
（１２）                容器
（１３）                容器
（１６）                容器
（１７）                容器
（２１）                蓋体
（２２）                蓋体
（２６）                蓋体
（２７）                蓋体
（３１）                区画壁
（３２）                区画壁
（３３）                区画壁
（１０１）              傾斜表示部
（１０２）              試料収納部
（１０３）              支点部
（１０４）              突部
（１０５）              底壁
（１０６）              周壁
（１０７）              液透過孔
（１０７）              液透過孔
（１１１）              区画壁
（１１２）              区画壁
（１１３）              区画壁
（１１４）              区画壁
（１１１ａ）            区画壁
（１１２ａ）            区画壁
（１１３ａ）            区画壁
（１１４ａ）            区画壁
（１１１ｂ）            切り込み
（１１１ｃ）            切り込み
（１１２ｂ）            切り込み
（１１２ｃ）            切り込み
（１１３ｂ）            切り込み
（１１３ｃ）            切り込み
（１１４ｂ）            切り込み
（１１４ｃ）            切り込み
（１１１ｂｖ）          溝
（１１１ｃｖ）          溝
（１１２ｂｖ）          溝
（１１２ｃｖ）          溝
（１１３ｂｖ）          溝
（１１３ｃｖ）          溝
（１１４ｂｖ）          溝
（１１４ｃｖ）          溝
（１１５）              案内傾斜面
（１２０）              長円状収納部
（１２１）              長円状収納部
（１２２）              長円状収納部
（１３０）              区画壁
（１３１）              区画壁
（１３２）              区画壁
（１３３）              区画壁
（１３４）              区画壁
（１３５）              区画壁
（１４０）              周壁
（１４１）              周壁
（１４２）              周壁
（１５０）              底壁
（１５１）              底壁
（１５２）              底壁
（１６０）              収納部
（１６１）              周壁
（１６２）              突条
（１６３）              突条
（１６４）              突条
（１６５）              突条
（１７０）              収納部
（１７１）              周壁
（１７２）              案内溝
（１７３）              案内溝
（１７４）              案内溝
（１７５）              案内溝
（１８０）              長円状収納部
（１８１）              長円状収納部
（１８２）              長円状収納部
（１９０）              収納部
（２０１）              舌片
（２０２）              係止フック
（２０３）              係止フック
（２０４）              掛け孔
（２０５）              掛け孔
（２０６）              掛け孔
（２０７）              液透過孔
（２０８）              切込部
（２０９）              切込部
（２１０）              切込部
（２１１）              切込部
（２１２）              突条
（２１３）              突条
（２１４）              突条
（２８０）              平坦部分
（２８１）              平坦部分
（２８２）              平坦部分
（２８３）              液透過孔
（２８３）              液透過孔
（２８４）              液透過孔
（２８５）              液透過孔
（２８６）              液透過孔
（２８７）              液透過孔
（２８８）              液透過孔
（２８９）              液透過孔
（２９０）              液透過孔
（２９１）              液透過孔
（２９２）              液透過孔
（２９３）              液透過孔
（２９４）              液透過孔
（３０１）              左右片
（３０２）              前後片
（３１０）              案内ブロック
（３１１）              案内ブロック
（３１２）              案内ブロック
（３１３）              案内ブロック
（３２０）              切り込み
（３２１）              切り込み
（３２２）              切り込み
（３３０）              左右片
（３３１）              前後片
（３５０）              左右片
（３５１）              前後片
（３５２）              前後片
（４１０）              切り込み
（４１１）              切り込み
（４１２）              切り込み
（４１３）              切り込み
（４５０）              切り込み
（４５１）              切り込み
（４５２）              切り込み
（４５３）              切り込み
（４６０）              切り溝
（４６１）              切り溝
（４６２）              切り溝
（４６３）              切り溝
（５０１）              液透過孔
（５０２）              係合段部
（５１０）              案内ブロック
（５１１）              案内ブロック
（５１２）              案内ブロック
（５１３）              案内ブロック
（５２０）              案内部分
（５２１）              案内部分
（５２２）              案内部分
（５２３）              案内部分
（５３０）              フック部分
（５３１）              フック部分
（５３２）              フック部分
（５３３）              フック部分
（５４０）              ばね部分
（５４１）              ばね部分
（５４２）              ばね部分
（５４３）              ばね部分
（５５０）              爪部分
（５５１）              爪部分
（５５２）              爪部分
（５５３）              爪部分
（６０１）              迫出部
（６０１）              迫出部
（６０２）              迫出部
（６１０）              切除部分
（６１１）              切除部分
（６１２）              切除部分
（６１３）              切除部分
（６２０）              切除部分
（６２１）              切除部分
（６２２）              切除部分
（６２３）              切除部分
（６３０）              切除部分
（６３１）              切除部分
（６３２）              切除部分
（６３３）              切除部分
（８００）              迫出部
（８０１）              迫出部
（８０２）              迫出部
（８０３）              迫出部
（９０１）              切り込み部
（９０２）              切り込み部
（９０３）              切り込み部
（９０４）              切り込み部
（９１０）              透過孔
（９１１）              透過孔
（１６Ｂ）              底壁
（１７Ｂ）              底壁
（Ｐ）                  試料
（Ｓ）                  間隔
（Ｓａ）                間隔
【図１】
2004219394.tif 000003
【図２】
2004219394.tif 000004
【図３】
2004219394.tif 000005
【図４】
2004219394.tif 000006
【図５】
2004219394.tif 000007
【図６】
2004219394.tif 000008
【図７】
2004219394.tif 000009
【図８】
2004219394.tif 000010
【図９】
2004219394.tif 000011
【図１０】
2004219394.tif 000012
【図１１】
2004219394.tif 000013
【図１２】
2004219394.tif 000014
【図１３】
2004219394.tif 000015
【図１４】
2004219394.tif 000016
【図１５】
2004219394.tif 000017
【図１６】
2004219394.tif 000018
【図１７】
2004219394.tif 000019
【図１８】
2004219394.tif 000020
【図１９】
2004219394.tif 000021
【図２０】
2004219394.tif 000022